(57)【要約】【課題】本発明は構造が簡単で、容易に設置することができるとともに、左右の建物が異なる方向に揺れ動いても、その揺れ動きを損傷することなく吸収し、停止した場合には自動的に元の状態に戻すことができる目地装置を得るにある。【解決手段】左右の建物の目地部側の一方の躯体にヒンジ部材を介して回動可能に取付けられ先端部の背面側が傾斜面に形成された目地部の他方側を除く部位を覆う目地カバーと、この目地カバーの先端部と面接触できる傾斜面の先端部が当接して目地部が狭くなると該目地カバーの先端部を前方へスライド移動させることができる他方の躯体にヒンジ部材を介して回動可能に取付けられた目地カバー支持片と、目地カバーの背面に目地カバーの回転方向に軸心が位置する回転軸と、一端が目地カバー支持片の先端部に取付けられ他端部が回転軸に少なくとも１回転以上巻き付けられて一方の躯体に目地カバーを閉じる方向に付勢できるようにスプリングを介して取付けられたワイヤーとで目地装置を構成している。【選択図】  図３
2004332443.tif 000002
【特許請求の範囲】
【請求項１】
目地部を介して建てられた左右の建物の目地部側の一方の躯体にヒンジ部材を介して回動可能に取付けられ、先端部の背面側が傾斜面に形成された前記目地部の他方側を除く部位を覆う目地カバーと、この目地カバーの先端部と面接触できる傾斜面の先端部が当接して、目地部が狭くなると該目地カバーの先端部を前方へスライド移動させることができる、前記左右の建物の目地部側の他方の躯体に固定あるいはヒンジ部材を介して回動可能に取付けられた目地カバー支持片と、前記目地カバーの背面に該目地カバーの回転方向に軸心が位置するように取付けられた回転軸と、一端が前記目地カバー支持片の先端部に取付けられ、他端部が前記回転軸に少なくとも１回転以上巻き付けられて一方の躯体に前記目地カバーを閉じる方向に付勢できるようにスプリングを介して取付けられたワイヤーとからなることを特徴とする目地装置。
【請求項２】
目地部を介して建てられた左右の建物の目地部側の一方の躯体にヒンジ部材を介して回動可能に取付けられ、先端部の背面側が傾斜面に形成された前記目地部の他方側を除く部位を覆う目地カバーと、この目地カバーの先端部と面接触できる傾斜面の先端部が当接して、目地部が狭くなると該目地カバーの先端部を前方へスライド移動させることができる、前記左右の建物の目地部側の他方の躯体に固定あるいはヒンジ部材を介して回動可能に取付けられた目地カバー支持片と、前記目地カバーの背面に該目地カバーの回転方向に軸心が位置するように取付けられた回転軸と、一端部が前記目地カバー支持片の先端部に取付けられ、他端部が前記回転軸に少なくとも１回転以上巻付けられて一方の躯体側に位置するワイヤーと、このワイヤーの他端部をドラム内に収納されたコイルスプリングの付勢力によって巻き付け、前記目地カバーを閉じる方向に付勢するワイヤー巻き取り機構とからなることを特徴とする目地装置。
【発明の詳細な説明】
【０００１】
【発明の属する技術分野】
本発明は目地部を介して建てられた左右の建物の外壁躯体間あるいは天井躯体間を覆う目地装置に関する。
【０００２】
【従来の技術】
従来の目地部間に設ける目地装置は、複数枚の目地カバーをスライド移動させるためにパンタグラフ状の伸縮リンク機構を用いている。
【０００３】
【発明が解決しようとする課題】
従来の目地装置は複数枚の目地カバーと伸縮リンク機構を用いるため、構造が複雑で、コスト高になるという欠点があるとともに、左右の建物の異なる方向への大きな移動量を確保することができず、免震ビル等には使用することができないという欠点があった。
【０００４】
本発明は以上のような従来の欠点に鑑み、構造が簡単で、容易に設置することができるとともに、左右の建物が異なる方向に揺れ動いても、その揺れ動きを損傷することなく吸収し、停止した場合には自動的に元の状態に戻すことができる目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物の目地部側の一方の躯体にヒンジ部材を介して回動可能に取付けられ、先端部の背面側が傾斜面に形成された前記目地部の他方側を除く部位を覆う目地カバーと、この目地カバーの先端部と面接触できる傾斜面の先端部が当接して、目地部が狭くなると該目地カバーの先端部を前方へスライド移動させることができる、前記左右の建物の目地部側の他方の躯体に固定あるいはヒンジ部材を介して回動可能に取付けられた目地カバー支持片と、前記目地カバーの背面に該目地カバーの回転方向に軸心が位置するように取付けられた回転軸と、一端が前記目地カバー支持片の先端部に取付けられ、他端部が前記回転軸に少なくとも１回転以上巻き付けられて一方の躯体に前記目地カバーを閉じる方向に付勢できるようにスプリングを介して取付けられたワイヤーとで目地装置を構成している。
【０００７】
【発明の実施の形態】
以下、図面に示す実施の形態により、本発明を詳細に説明する。
【０００８】
図１ないし図９に示す本発明の第１の実施の形態において、１は目地部２を介して建てられた左右の建物３、３の目地部側の左右の外壁躯体３ａ、３ａ間を覆う本発明の目地装置で、この目地装置１は前記左右の外壁躯体３ａ、３ａの一方の外壁躯体３ａにヒンジ部材４を介して回動可能に取付けられ、先端部の背面側が傾斜面５に形成された、前記目地部２の他方側を除く部位を覆う目地カバー６と、この目地カバー６の先端部と面接触できる傾斜面７の先端部が当接して、目地部が狭くなると該目地カバー６の先端部を前方へスライド移動させることができる前記左右の建物３、３の目地部側の他方の外壁躯体３ａにヒンジ部材８を介して回動可能に取付けられた目地カバー支持片９と、前記目地カバー６の背面に該目地カバー６の回転方向に軸心が位置するように軸支持部材１０、１０によって取付けられた回転軸１１と、一端が前記目地カバー支持片９の先端部に取付けられ、他端部が前記回転軸１１に少なくとも１回転以上巻き付けられて、一方の外壁躯体３ａに前記目地カバー６を閉じる方向に付勢できるようにガイドローラ１２およびスプリング１３を介して取付けられたワイヤー１４とで構成されている。
【０００９】
前記目地カバー６は図４に示すように長方形状の枠部材１５と、この枠部材１５内に所定間隔で位置するように固定された補強バー１６とからなる目地カバーフレーム１７と、この目地カバーフレーム１７のほぼ中央部に回転可能に軸支持部材１０、１０を用いて取付けられた回転軸１１と、前記目地カバーフレーム１７を覆い、先端部に傾斜面５を形成している目地カバーパネル１８とで構成されている。
【００１０】
上記構成の目地装置１は、通常時は図１および図３に示すように、目地カバー６の先端部と目地カバー支持片９の先端部とが当接する状態となるようにスプリング１３で付勢されたワイヤー１４で目地部２が覆われた状態となっている。
この時、ワイヤー１４は目地カバー支持片９に一端部が取付けられ、目地カバー６に取付けられた回転軸１１に１回転以上巻き付けられて、スプリング１３で付勢されているため、目地カバー支持片９や目地カバー６の揺れ動きを防止できる。
【００１１】
地震等によって左右の建物３、３が異なる方向に揺れ動き、目地部２が広くなった場合には図７に示すように、目地カバー支持片９の先端部より目地カバー６の先端部が離れるように移動するが、この時、スプリング１３で付勢されたワイヤー１４によって目地カバー支持片９、回転軸１１を介して目地カバー６が位置決めされた状態を保ちながら離間する。
揺れ動きが停止すると、スプリング１３に付勢されたワイヤー１４によって、自動的に目地カバー支持片９の先端部と目地カバー６の先端部が当接する元の状態に戻る。
【００１２】
目地部２が狭くなるように揺れ動いた場合には、図８に示すように目地カバー６の先端部が目地カバー支持片９の先端部をスライド移動して、その揺れ動きを吸収する。
この時、回転軸１１に巻き付けられたワイヤー１４は目地カバー６を取付けるヒンジ部材４方向へスライド移動して、目地カバー６を常時目地カバー支持片９に当接するように付勢する状態を保っている。
【００１３】
左右の建物３、３が異なる前後方向に揺れ動いた場合には、図９に示すように目地カバー支持片９と目地カバー６がヒンジ部材４、８部分より回動して、その揺れ動きを吸収する。
【００１４】
【発明の異なる実施の形態】
次に、図１０ないし図１８に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図１０ないし図１２に示す本発明の第２の実施の形態において、前記本発明の第１の実施の形態と主に異なる点は、ワイヤー１４の他端部を回転ドラム１９に巻き付けるとともに、該回転ドラム１９を該回転ドラム１９内に収納させたコイルスプリング２０によって、常時巻き付け方向に付勢したワイヤー巻き取り機構２１を用いた点で、このように構成した目地装置１Ａにしても、前記本発明の第１の実施の形態と同様な作用効果が得られる。
【００１６】
図１３ないし図１５に示す本発明の第３の実施の形態において、前記本発明の第１の実施の形態と主に異なる点は、目地カバー支持片９を他方の外壁躯体３ａに固定的に取付けた点で、このように構成した目地装置１Ｂにしても、前記本発明の第１の実施の形態と同様な作用効果が得られる。
【００１７】
図１６ないし図１８に示す本発明の第４の実施の形態において、前記本発明の第１の実施の形態と主に異なる点は、一方の天井躯体３ｂと他方の天井躯体３ｂとに目地カバー６と目地カバー支持片９とを取付けた天井部の目地部２Ａを覆った点で、このように天井部の目地部２Ａを覆う目地装置１Ｃにしても、前記本発明の第１の実施の形態と同様な作用効果が得られる。
【００１８】
なお、前記第２、第３の実施の形態を一方の天井躯体と他方の天井躯体に取付ける天井部の目地部を覆う目地装置に用いてもよい。
【００１９】
【発明の効果】
以上の説明から明らかなように、本発明にあっては次に列挙する効果が得られる。
【００２０】
（１）目地部を介して建てられた左右の建物の目地部側の一方の躯体にヒンジ部材を介して回動可能に取付けられ、先端部の背面側が傾斜面に形成された前記目地部の他方側を除く部位を覆う目地カバーと、この目地カバーの先端部と面接触できる傾斜面の先端部が当接して、目地部が狭くなると該目地カバーの先端部を前方へスライド移動させることができる、前記左右の建物の目地部側の他方の躯体に固定あるいはヒンジ部材を介して回動可能に取付けられた目地カバー支持片と、前記目地カバーの背面に該目地カバーの回転方向に軸心が位置するように取付けられた回転軸と、一端が前記目地カバー支持片の先端部に取付けられ、他端部が前記回転軸に少なくとも１回転以上巻き付けられて一方の躯体に前記目地カバーを閉じる方向に付勢できるようにスプリングを介して取付けられたワイヤーとで構成されているので、スプリングに付勢されたワイヤーによって、目地カバー支持片および目地カバーの位置決めを行なうことができる。
したがって、構造が簡単で、安価に製造することができる。
【００２１】
（２）前記（１）によって、地震等によって目地部が狭くなると、目地カバーの先端部が目地カバー支持片をスライド移動して、その揺れ動きを吸収することができる。
この時、スプリングで付勢されたワイヤーによって、目地カバーを背面方向に付勢された状態となり、必要以上に目地カバーが回動するのを阻止することができる。
【００２２】
（３）前記（１）によって、目地部が広くなると、目地カバーの先端部が目地カバー支持片の先端部より離間して、その揺れ動きを吸収する。
この時、スプリングで付勢されたワイヤーによって目地カバー支持片と目地カバーの位置が直線方向に保持され、必要以上に動くのを阻止することができる。
【００２３】
（４）前記（１）によって、目地部が狭くなったり、広くなったり、異なる前後方向に揺れ動いた後、停止した場合には、スプリングで付勢されたワイヤーによって、目地カバーを元の位置に自動的に戻すことができる。
【００２４】
（５）請求項２も前記（１）〜（４）と同様な効果が得られる。
【図面の簡単な説明】
【図１】本発明の第１の実施の形態の正面図。
【図２】本発明の第１の実施の形態の背面図。
【図３】図１の３−３線に沿う拡大断面図。
【図４】本発明の第１の実施の形態の目地カバーの説明図。
【図５】本発明の第１の実施の形態の目地カバー支持片の説明図。
【図６】本発明の第１の実施の形態のワイヤーの取付け状態を示す説明図。
【図７】本発明の第１の実施の形態の目地部が広くなった動作説明図。
【図８】本発明の第１の実施の形態の目地部が狭くなった動作説明図。
【図９】本発明の第１の実施の形態の異なる前後方向の動作説明図。
【図１０】本発明の第２の実施の形態の正面図。
【図１１】図１０の１１−１１線に沿う拡大断面図。
【図１２】本発明の第２の実施の形態のワイヤー巻き取り機構の説明図。
【図１３】本発明の第３の実施の形態の正面図。
【図１４】図１３の１４−１４線に沿う拡大断面図。
【図１５】本発明の第３の実施の形態の異なる前後方向の動作説明図。
【図１６】本発明の第４の実施の形態の底面図。
【図１７】本発明の第４の実施の形態の平面図。
【図１８】図１７の１８−１８線に沿う断面図。
【符号の説明】
１、１Ａ、１Ｂ、１Ｃ：目地装置、
２、２Ａ：目地部、      ３：建物、
３ａ：外壁躯体、        ４：ヒンジ部材、
５：傾斜面、            ６：目地カバー、
７：傾斜面、            ８：ヒンジ部材、
９：目地カバー支持片、  １０：軸受部材、
１１：回転軸、          １２：ガイドローラ、
１３：スプリング、      １４：ワイヤー、
１５：枠部材、          １６：補強バー、
１７：目地カバーフレーム、
１８：目地カバーパネル、１９：回転ドラム、
２０：コイルスプリング、
２１：ワイヤー巻き取り機構。
【図１】
2004332443.tif 000003
【図２】
2004332443.tif 000004
【図３】
2004332443.tif 000005
【図４】
2004332443.tif 000006
【図５】
2004332443.tif 000007
【図６】
2004332443.tif 000008
【図７】
2004332443.tif 000009
【図８】
2004332443.tif 000010
【図９】
2004332443.tif 000011
【図１０】
2004332443.tif 000012
【図１１】
2004332443.tif 000013
【図１２】
2004332443.tif 000014
【図１３】
2004332443.tif 000015
【図１４】
2004332443.tif 000016
【図１５】
2004332443.tif 000017
【図１６】
2004332443.tif 000018
【図１７】
2004332443.tif 000019
【図１８】
2004332443.tif 000020